(57)【要約】      （修正有）【課題】使用に際して繁雑な準備を必要とすることのないアイスサインボード、および該アイスサインボードへの記入方法を提供。【解決手段】良好な熱伝導性を有する透光性材料から成り、所望の色彩・模様を有する背景層を背面に設けて成る表示パネル３と、この表示パネル３を加熱／冷却して、表示パネル３における表面の温度を調整する熱電モジュール４とを具備し、熱電モジュール４により冷却した表示パネル３の表面に結露・結霜を発生させて記入層を形成し、筆記手段によって記入層に文字・絵等を記入したのち、熱電モジュール４により表示パネル３を冷却し、記入層を凍結させて文字・絵等を固定保存させ、熱電モジュール４により表示パネル３を加熱し、記入層を溶解させて文字・絵等を消去する。【選択図】図３
2009137019.tif 000002
【特許請求の範囲】
【請求項１】
良好な熱伝導性を有する透光性材料から成り、所望の色彩・模様を有する背景層を背面に設けて成る表示パネルと、
前記表示パネルを加熱／冷却して、前記表示パネルにおける表面の温度を調整する熱電モジュールとを具備し、
前記熱電モジュールにより冷却した前記表示パネルの表面に結露・結霜を発生させて記入層を形成し、前記記入層に文字・絵等を記入したのち、前記熱電モジュールにより前記表示パネルを冷却し、前記記入層を凍結させて前記文字・絵等を固定保存させ、前記熱電モジュールにより前記表示パネルを加熱し、前記記入層を溶解させて前記文字・絵等を消去するように使用されることを特徴とするアイスサインボード。
【請求項２】
前記熱電モジュールに取付けられて放熱／吸熱を行うウォータジャケットと、
前記ウォータジャケットの冷却水供給管に設けた開閉バルブを閉じ、前記ウォータジャケット内に滞留した冷却水を加熱して水蒸気を生成する水蒸気生成手段と、
前記水蒸気生成手段において生成された水蒸気を前記表示パネルの表面に吹き掛けるべく案内する水蒸気供給手段と、
を具備して成ることを特徴とする請求項１記載のアイスサインボード。
【請求項３】
良好な熱伝導性を有する透光性材料から成り、所望の色彩・模様を有する背景層を背面に設けて成る表示パネルと、
前記表示パネルを加熱／冷却して、前記表示パネルにおける表面の温度を調整する熱電モジュールとを具備して成るアイスサインボードを用い、
該アイスサインボードに文字・絵等を記入する方法であって、
前記熱電モジュールにより前記表示パネルを冷却し、前記表示パネルの表面温度を低下させて、前記表示パネルの表面に結露・結霜を発生させ、前記表示パネルの表面に記入層を形成する工程と、
前記表示パネルの表面に形成した前記記入層に、所期の文字・絵等を記入する工程と、
前記熱電モジュールにより前記表示パネルを冷却し、前記記入層を凍結させることにより、前記記入層に形成した文字・絵等を固定保存する工程と、
前記熱電モジュールにより前記表示パネルを加熱し、前記記入層を溶解させることにより、前記記入層に形成した文字・絵等を消去する工程と、
を含んで成ることを特徴とするアイスサインボードの記入方法。
【発明の詳細な説明】
【技術分野】
【０００１】
本発明は、熱電モジュールの冷却／加熱機能を利用したアイスサインボード、およびアイスサインボードの記入方法に関するものである。
【背景技術】
【０００２】
ライティングボードの一例である黒板やレストランのメニューボード等では、チョークを使って文字や絵等を記入する一方、記入された文字等をラーフルを用いて消去しているが、チョークの使用時に手が汚れたり、文字等を消去する際にチョークの粉が飛散する等の不都合を免れない。
【０００３】
一方、ライティングボードの一種として、パネル状の芯材の表面をエナメル等でコーテイングして成るホワイトボードが提供されており、このホワイトボードにおいては、定着剤を含まないアルコール系等のマーカーペンで記入した文字や絵等を、字消しを用いて消去しているために、チョークを使った際の手の汚れや粉の飛散等は生じない。
【０００４】
さらに、ライティングボードの一種として、ループ可能なフィルム状のホワイトボードを有し、このホワイトボード上に記入された文字や絵等を、イメージスキャナで読み取ってプリントに出力する、いわゆる電子黒板(コピーホワイトボード)が提供されており（特許文献１参照）、この電子黒板においては、専用のマーカーペンで記入された文字や絵等を、ホワイトボードをループさせつつ専用の洗浄液(消去液)を用いて消去するよう構成されている。
【特許文献１】特開２００１−１０５５８１号公報
【発明の開示】
【発明が解決しようとする課題】
【０００５】
ところで、上述したホワイトボードや電子黒板によれば、チョークを使用した黒板の場合のような汚れ等は生じないものの、文字や絵等の記入には特化された専用のマーカーペンを使用する必要があり、また記入された文字や絵等を消去する場合にも字消しや専用の洗浄液(消去液)を必要とするため、上記マーカーペンおよび字消しや洗浄液の用意は必須であり、また上記マーカーペンのインク切れや洗浄液の消耗等に対応できるよう、常にサプライ用品を用意しておく必要がある等、上述したホワイトボードや電子黒板の使用に際しては、繁雑な準備を必要とする不都合があった。
【０００６】
本発明の目的は上記実状に鑑みて、使用に際して繁雑な準備を必要とすることのないアイスサインボード、および該アイスサインボードへの記入方法を提供することにある。
【課題を解決するための手段】
【０００７】
上記目的を達成するべく、請求項１に関わるアイスサインボードは、良好な熱伝導性を有する透光性材料から成り、所望の色彩・模様を有する背景層を背面に設けて成る表示パネルと、
この表示パネルを加熱／冷却して、表示パネルにおける表面の温度を調整する熱電モジュールとを具備し、
熱電モジュールにより冷却した表示パネルの表面に結露・結霜を発生させて記入層を形成し、記入層に文字・絵等を記入したのち、熱電モジュールにより表示パネルを冷却し、記入層を凍結させて文字・絵等を固定保存させ、熱電モジュールにより表示パネルを加熱し、記入層を溶解させて文字・絵等を消去するように使用されることを特徴としている。
【０００８】
また、請求項２の発明に関わるアイスサインボードは、請求項１の発明に関わるサインボードにおいて、
熱電モジュールに取付けられて放熱／吸熱を行うウォータジャケットと、
このウォータジャケットの冷却水供給管に設けた開閉バルブを閉じ、ウォータジャケット内に滞留した冷却水を加熱して水蒸気を生成する水蒸気生成手段と、  この水蒸気生成手段において生成された水蒸気を表示パネルの表面に吹き掛けるべく案内する水蒸気供給手段とを具備して成ることを特徴としている。
【０００９】
また、請求項３の発明に関わるアイスサインボードの記入方法は、良好な熱伝導性を有する透光性材料から成り、所望の色彩・模様を有する背景層を背面に設けて成る表示パネルと、この表示パネルを加熱／冷却して、表示パネルにおける表面の温度を調整する熱電モジュールとを具備して成るアイスサインボードを用い、該アイスサインボードに文字・絵等を記入する方法であって、
熱電モジュールにより表示パネルを冷却し、表示パネルの表面温度を低下させて、表示パネルの表面に結露・結霜を発生させ、表示パネルの表面に記入層を形成する工程と、
表示パネルの表面に形成した記入層に、所期の文字・絵等を記入する工程と、  熱電モジュールにより表示パネルを冷却し、記入層を凍結させることにより、記入層に形成した文字・絵等を固定保存する工程と、
熱電モジュールにより表示パネルを加熱し、記入層を溶解させることにより、記入層に形成した文字・絵等を消去する工程と、
を含んで成ることを特徴としている。
【発明の効果】
【００１０】
請求項１の発明に関わるサインボードによれば、特化されたマーカーペン等の専用の筆記用具を用いることなく、表示パネルに文字や絵等を記入することができ、また専用の字消しや洗浄剤を必要とすることなく、表示パネルから文字や絵等を消去することができる。
【００１１】
また、請求項２の発明に関わるサインボードによれば、冷却水から水蒸気を生成する水蒸気生成手段と、生成した水蒸気を表示パネルに案内する水蒸気供給手段とを備えているので、雰囲気(外気の湿度等)に左右されることなく、表示パネルの表面に記入層を確実に形成することが可能となる。
【００１２】
さらに、請求項３の発明に関わるサインボードの記入方法によれば、特化されたマーカーペン等の専用の筆記用具を用いることなく、表示パネルに文字や絵等を記入することができ、また専用の字消しや洗浄剤を必要とすることなく、表示パネルから文字や絵等を消去することが可能となる。
【発明を実施するための最良の形態】
【００１３】
以下、実施例を示す図面に基づいて、本発明を詳細に説明する。  
図１〜図５は、本発明に関わるアイスサインボードを、例えば飲食店等の店頭に置かれるメニューボード等に適用した第１の実施例を示している。
【００１４】
図１および図２に示す如く、本実施例に関わるアイスサインボード１は、その外観が四角い箱状を呈するフレーム２によって構成されており、該フレーム２の正面には、後述する表示パネル３が露呈しているとともに、後述する操作ダイヤル５Ｄが設けられている。
【００１５】
ここで、上記アイスサインボード１は、図１の如くイーゼルＥに載置して使用され、該イーゼルＥの棚箱には、後述するマーカーペンＭが用意されている。    因みに、上記アイスサインボード１は、上述の如くイーゼルＥに載置して使用されるのみならず、例えば机上等に直接に載置して使用することも可能であることは言うまでもない。
【００１６】
上記アイスサインボード１のフレーム２は、上方の開放された箱状のフレーム本体２Ａと、該フレーム本体２Ａの上部に取外し可能に装着された蓋体２Ｂとを備え、上記フレーム本体２Ａの正面には、表示パネル３の正面を露呈させる矩形状の開口２Ａｏが形成されている。
【００１７】
図３および図４に示す如く、上記フレーム２(フレーム本体２Ａ)の内部には、上記表示パネル３が収容されているとともに、後述する如く表示パネル３を加熱／冷却して、上記表示パネル３の表面温度を調整するための熱電モジュール４が収容されている。
【００１８】
上記表示パネル３は、良好な熱伝導性を有する透光性材料、例えばガラスや樹脂から成る矩形状のパネルであり、上記表示パネル３の背面(フレーム２の内方側を向いた面)には、ユーザーの所望する任意の色彩や模様を有する背景層３Ｂが設けられている。
【００１９】
なお、上記背景層３Ｂにおける色彩や模様は、後述するアイスサインボード１の使用時、凍結した記入層(図７中の符号３Ｗ)が白化することに鑑み、該記入層とのコントラスト等を考慮して選択することが好ましい。
【００２０】
また、上記背景層３Ｂは、パネル３の裏面に密着する態様で一体に形成された着色パネル(着色シート)であっても、あるいはパネル３の裏面に直接に塗装した塗膜であっても良い。
【００２１】
上記表示パネル３は、フレーム本体２Ａの開口２Ａｏを内方側から覆う態様で、上記フレーム２(フレーム本体２Ａ)の内部における所定の位置に装着されており、上記フレーム２の内部には、表示パネル３における上下の縁部および左右の縁部に沿って延びる照明ユニット２Ｌ、２Ｌ…(図３、図４参照)が設置されている。
【００２２】
上記照明ユニット２Ｌ、２Ｌ…は、多数のＬＥＤ(発光ダイオード)を配列した線光源であり、表示パネル３における上下および左右の縁部から入射する光により、上記表示パネル３が全体に亘って照明されることとなる。
【００２３】
また、上記表示パネル３は、別の表示パネル(図示せず)と交換することが可能であり、図５に示す如く、ケース２の本体ケース２Ａから蓋体２Ｂを取り外したのち、表示パネル３を引き上げることにより、本体ケース２Ａから取り外すことができる。
【００２４】
一方、上記フレーム２(フレーム本体２Ａ)に収容されている熱電モジュール４は、周知の如く所定個数の熱電半導体素子(Ｐ型素子およびＮ型素子)を平面状に交互に配置し、これら熱電半導体素子の一方面と他方面とに各々電極を取り付け、全ての熱電半導体素子を直列接続することによって構成されている。
【００２５】
上記熱電モジュール４の吸熱面には、セラミック等から成る正面側伝熱板４Ａが密着して設けられている一方、上記熱電モジュール４の放熱面には、セラミック等から成る背面側伝熱板４Ｂが密着して設けられており、これら熱電モジュール４と正面側伝熱板４Ａおよび背面側伝熱板４Ｂとは一体に組み付けられ、上記ケース本体２Ａにおける所定の位置に固定設置されている。
【００２６】
また、上記正面側伝熱板４Ａには、後述する態様で表示パネル３(背景層３Ｂ)が密着して配置されている一方、上記背面側伝熱板４Ｂには、放熱フィン４Ｆが固定設置されており、この放熱フィン４Ｆは、上記ケース２におけるケース本体２Ａの背面から外部に露呈している。
【００２７】
図３および図４に示す如く、上記表示パネル３は、上記フレーム２の内部に装着された状態において、フレーム本体２Ａの正面板に取付られた板バネ２Ｓ、２Ｓ…で前方から押圧され、背景層３Ｂを正面側伝熱板４Ａに圧接されている。
【００２８】
ここで、上記背景層３Ｂと正面側伝熱板４Ａとの間に、グリース(図示せず)等を介在させておくことが、表示パネル３と熱電モジュール４との伝熱効率を向上させるために効果的であることは言うまでもない。
【００２９】
図３に示す如く、ケース本体２Ａの内部に設置された基板５Ｂには、操作ダイヤル５Ｄを備えた切換えスイッチ５Ｓと、該切換えスイッチ５Ｓの操作に基づいて熱電モジュール４の動作を制御する制御部５Ｃが搭載されており、この制御部５Ｃには、上記熱電モジュール４が接続されているとともに、電源供給用の電源コード５Ｅが接続されている。
【００３０】
一方、図１に示したマーカーペンＭは、スティック状の持ち手の先端に、吸水性を備えたスポンジ等から成るペン先を有している。  
因みに、後述するアイスサインボード１の使用時においては、上述したマーカーペンＭを使用することなく、ユーザーが自身の指で文字や絵等を記入することも可能である。
【００３１】
以下では、上述した構成のアイスサインボード１に対する文字や絵等の記入方法について説明する。  
図６(ａ)に示す如く、操作ダイヤル５Ｄが「OFF」を指している状態では、熱電モジュール４は何ら動作することなく、表示ボード３の表面は常温において乾燥した状態となっている。
【００３２】
図６(ｂ)に示す如く、操作ダイヤル５Ｄを「WRITE」に合わせると、切換えスイッチ５Ｓの操作に基づく制御部５Ｃからの指令により、表示パネル３を冷却する態様で熱電モジュール４が動作し、上記表示パネル３の表面温度が０℃近辺に低下することで、上記表示パネル３の表面には結露・結霜が発生し、これら結露・結霜によって記入層３Ｗが形成されることとなる。
【００３３】
なお、季節や設置箇所等の条件が相違した場合でも、表示パネル３の表面に結露・結霜が発生するよう、雰囲気における気温や湿度等に合わせて、表示パネル３の表面温度(熱電モジュール４の動作)を調整する必要のあることは言うまでもない。
【００３４】
上述の如く、表示パネル３の表面に記入層３Ｗが形成された状態において、図７(ａ)に示す如く、マーカーペンＭを用いて記入層３Ｗの要部を崩すことで、表示パネル３の表面(記入層３Ｗ)に所望の文字・絵等を記入する。
【００３５】
このとき、表示パネル３における背景層３Ｂが黒色であれば、表示パネル３に記入した文字・絵等からは、結露・結霜により白く曇った記入層３Ｗを地として、背景層３Ｂの黒色が透過して見えることとなる。
【００３６】
表示パネル３に形成された記入層３Ｗへの文字・絵等の記入を終えたのち、図７(ｂ)に示す如く、操作ダイヤル５Ｄを「HOLD」に合わせると、切換えスイッチ５Ｓの操作に基づく制御部５Ｃからの指令により、表示パネル３を更に冷却する態様で熱電モジュール４が動作し、上記表示パネル３の表面温度が氷結温度(例えば、−１０℃前後)にまで低下することとなる。
【００３７】
このように、表示パネル３の表面温度が氷結温度にまで低下することで、上記表示パネル３の記入層３Ｗが文字・絵等ととともに凍結し、上記記入層３Ｗに記入した文字・絵等が固定保存されることとなる。
【００３８】
ここで、記入層３Ｗが凍結することに伴い、該記入層３Ｗが白化することによって、背景層３Ｂの色彩や模様を透過している文字・絵等とのコントラストが上がり、上記文字・絵等の背景色が浮かび上がることとなる。
【００３９】
なお、表示パネル３に文字・絵等を記入したのち、ケース２の正面に表示パネル３の表面を覆う透明のカバー(図示せず)を装着することで、外気温の変化や不用意な接触によって文字・絵等が崩れてしまうことを有効に防止し得る。
【００４０】
一方、表示パネル３に記入した文字・絵等を消去する場合、図８に示す如く、操作ダイヤル５Ｄを「ERASE」に合わせると、切換えスイッチ５Ｓの操作に基づく制御部５Ｃからの指令により、表示パネル３を加熱する態様で熱電モジュール４が動作し、上記表示パネル３の表面温度が上昇することで、凍結していた記入層３Ｗおよび文字・絵等が溶解し、水となって流れ落ちることによって、表示パネル３の表面から文字・絵等が消去されることとなる。
【００４１】
なお、ケース２の正面下部には、表示パネル３の表面から流れ落ちる水を受け止めて排水する手段を設けておくことが好ましい。  
また、上述の如く文字・絵等を消去したのち、再び表示パネル３に文字・絵等を記入する場合には、表示パネル３の表面を拭き清めて乾燥させておくことが好ましい。
【００４２】
上述した構成のアイスサインボード１によれば、特化されたマーカーペン等の専用の筆記用具を用いることなく、表示パネル３に文字や絵等を記入することができ、また専用の字消しや洗浄剤を必要とすることなく、表示パネル３から文字や絵等を消去することが可能となる。すなわち、使用に際して繁雑な準備を必要とすることなく、文字や絵等の記入および消去を実施することができる。
【００４３】
図９〜図１２は、本発明に関わるアイスサインボードを、メニューボード等に適用した第２の実施例を示している。
【００４４】
本実施例のアイスサインボード１０におけるフレーム１２(フレーム本体１２Ａ)の内部には、表示パネル１３と該表示パネル１３を加熱／冷却するための熱電モジュール１４が収容されている。
【００４５】
上記熱電モジュール１４の吸熱面には、セラミック等から成る正面側伝熱板１４Ａが密着して設けられている一方、上記熱電モジュール１４の放熱面には、セラミック等から成る背面側伝熱板１４Ｂが密着して設けられている。
【００４６】
また、上記正面側伝熱板１４Ａには、表示パネル１３(背景層１３Ｂ)が密着して配置されている一方、上記背面側伝熱板１４Ｂには、放熱／吸熱用のウォータージャケット１４Ｊが固定設置されている。
【００４７】
このウォータージャケット１４Ｊには、冷却水タンク１４Ｔを介装した冷却水排出管１４Ｊｏおよび冷却水供給管１４Ｊｉが接続されており、ポンプＰによって冷却水をウォータージャケット１４Ｊに循環供給させるよう構成されている。
【００４８】
また、上記ウォータージャケット１４Ｊの下部に接続された冷却水供給管１４Ｊｉには開閉バルブ１４Ｖが介装されており、この開閉バルブ１４Ｖおよび上記熱電モジュール１４等から、ウォータジャケット１４Ｊ内の冷却水を加熱して水蒸気を生成する水蒸気生成手段１６が構成されている。
【００４９】
すなわち、後述する如く操作ダイヤル１５Ｄを「STEAM」に合わせると、切換えスイッチ１５Ｓの操作に基づく制御部１５Ｃからの指令により、開閉バルブ１４Ｖが閉止(ポンプＰが停止)するとともに、熱電モジュール１４が表示パネル１３の表面温度を低下させる態様で動作する。
【００５０】
このとき、熱電モジュール１４における放熱面の温度は上昇し、開閉バルブ１４Ｖが閉止されたことでウォータジャケット１４Ｊ内に滞留した冷却水が、上記熱電モジュール１４により背面側伝熱板１４Ｂを介して加熱されることで、ウォータジャケット１４Ｊ内の冷却水から水蒸気が生成される。
【００５１】
上記ウォータジャケット１４Ｊには、上述した如く生成された水蒸気を、表示パネル１３の表面に吹き掛けるべく案内する水蒸気供給手段１７が取り付けられており、この水蒸気供給手段１７は、基端をウォータジャケット１４Ｊの上部に接続されたフレキシブルなホース１７Ｈと、該ホース１７Ｈの先端に取り付けられた扁平なノズル１７Ｎとを有している。
【００５２】
なお、上述したアイスサインボード１０は、ウォータージャケット１４Ｊや開閉バルブ１４Ｖ等から成る蒸気発生手段１６、およびホース１７Ｈやノズル１７Ｎ等から成る蒸気供給手段１７を備えている以外、第１の実施例におけるアイスサインボード１と変わるところはないので、アイスサインボード１と同一の作用を為す構成要素には、図９〜図１２中の符号に１０を加算した１０番台の符号を附すことで詳細な説明を省略する。
【００５３】
上述した如き構成のアイスサインボード１０において、図９に示す如く、操作ダイヤル１５Ｄが「OFF」を指している状態では、熱電モジュール１４は何ら動作せず、表示ボード１３の表面は常温において乾燥した状態となっている。
【００５４】
図１２(ａ)に示す如く、操作ダイヤル１５Ｄを「STEAM」に合わせると、先に説明した如く、切換えスイッチ１５Ｓの操作に基づく制御部１５Ｃからの指令により、熱電モジュール１４が表示パネル１３の表面温度を低下させる態様で動作し、上記表示パネル１３の表面温度が冷却される一方、上述した水蒸気生成手段１６の動作に基づいて、ウォータジャケット１４Ｊ内の冷却水から水蒸気が生成される。
【００５５】
そこで、図１２(ａ)に示す如く、上記ウォータジャケット１４Ｊ内で生成された水蒸気を、水蒸気供給手段１７のホース１７Ｈおよびノズル１７Ｎによって、表示パネル１３の表面に導いて吹き掛けると、上述の如く表示パネル１３が熱電モジュール１４により冷却されているため、上記表示パネル１３の表面には結露・結霜が発生し、これら結露・結霜によって記入層１３Ｗが形成されることとなる。
【００５６】
表示パネル１３の表面に記入層１３Ｗが形成されたのち、図１２(ｂ)に示す如く、操作ダイヤル１５Ｄを「WRITE」に合わせると、切換えスイッチ１５Ｓの操作に基づく制御部１５Ｃからの指令により、開閉バルブ１４Ｖが開成(ポンプＰが運転再開)して、ウォータジャケット１４Ｊに冷却水が循環供給されるとともに、熱電モジュール１４が表示パネル１３の表面温度を一定に保持させる態様で動作し、これによって表示パネル１３の表面に形成した記入層１３Ｗが維持されることとなる。
【００５７】
上述の如く、表示パネル１３の表面に記入層１３Ｗが形成されている状態において、上記記入層１３Ｗにマーカーペン(図示せず)を用いて所望の文字・絵等を記入する。
【００５８】
上記記入層１３Ｗへの文字・絵等の記入を終えたのち、操作ダイヤル１５Ｄを「HOLD」に合わせると、切換えスイッチ１５Ｓの操作に基づく制御部１５Ｃからの指令により、表示パネル１３を更に冷却する態様で熱電モジュール１４が動作し、上記表示パネル１３の表面温度が氷結温度にまで低下することで、記入層１３Ｗおよび文字・絵等が凍結して固定保存されることとなる。
【００５９】
一方、表示パネル１３に記入した文字・絵等を消去する場合、操作ダイヤル１５Ｄを「ERASE」に合わせると、切換えスイッチ１５Ｓの操作に基づく制御部１５Ｃからの指令により、表示パネル１３を加熱する態様で熱電モジュール１４が動作し、上記表示パネル１３の表面温度が上昇することで、凍結していた記入層１３Ｗおよび文字・絵等が溶解して消去される。
【００６０】
上述した構成のアイスサインボード１０によれば、特化されたマーカーペン等の専用の筆記用具を用いることなく、表示パネル１３に文字や絵等を記入することができ、また専用の字消しや洗浄剤を必要とすることなく、表示パネル１３から文字や絵等を消去することが可能となる。すなわち、使用に際して繁雑な準備を必要とすることなく、文字や絵等の記入および消去を実施することができる。
【００６１】
また、上述した構成のアイスサインボード１０によれば、冷却水から水蒸気を生成する水蒸気生成手段１６と、生成した水蒸気を表示パネル１３に案内する水蒸気供給手段１７とを備えていることで、雰囲気(外気の湿度等)に左右されることなく、表示パネル１３の表面に記入層１３Ｗを確実に形成することができる。
【００６２】
なお、第１の実施例におけるアイスサインボード１、および第２の実施例におけるアイスサインボード１０では、表示パネル(３、１３)の周縁に配置した照明ユニット(２Ｌ、１２Ｌ)によって、上記表示パネル(３、１３)をライトアップしているが、照明ユニットによる照明を明滅させたり色彩を変化させる等、イルミネーション(電飾)としての作用を持たせても良く、このような構成は通行人等からの注目度を向上させる為に有効である。
【００６３】
図１３〜図１５は、本発明に関わるアイスサインボードを、従来のホワイトボードに対応する、大型のライティングボードに適用した第３の実施例を示している。
【００６４】
本実施例に関わるアイスサインボード１００は、横長の大きな四角い箱状を呈するフレーム１０２を具備し、該フレーム１０２の正面には表示パネル１０３が露呈しているとともに、操作ダイヤル１０５Ｄが設けられている。  
ここで、上記フレーム１０２はスタンドＳにより支持されており、フレーム１０２の正面にはマーカーペンＭが用意されている。
【００６５】
上記アイスサインボード１００におけるフレーム１０２の内部には、表示パネル１０３が収容されているとともに、該表示パネル１０３を加熱／冷却するための熱電モジュール４が収容されており、フレーム１０２の正面には、表示パネル１０３を露呈させる矩形状の開口１０２Ａｏが形成されている。
【００６６】
上記表示パネル１０３は、良好な熱伝導性を有する透光性材料から成る矩形状のパネルであって、上記表示パネル１０３の背面には任意の色彩や模様を有する背景層１０３Ｂが設けられ、フレーム１０２の開口１０２Ａｏを内方側から覆う態様で、上記フレーム１０２の内部に固定設置されている。
【００６７】
また、上記表示パネル１０３の背面には、熱電モジュール１０４の吸熱面が密着して設けられている一方、上記熱電モジュール１０４の放熱面には、背面側伝熱板４Ｂが密着して設けられ、上記背面側伝熱板１０４Ｂには、ウォータージャケット１０４Ｊが固定設置されている。
【００６８】
上記ウォータージャケット１０４Ｊに接続された冷却水供給管１０４Ｊｉには開閉バルブ１０４Ｖが介装され、該開閉バルブ１０４Ｖおよび熱電モジュール１０４等から、水蒸気生成手段１０６が構成されている。
【００６９】
また、上記ウォータジャケット１０４Ｊには、該ウォータジャケット１０４Ｊの上部に接続されたホース１０７Ｈと、該ホース１０７Ｈに取り付けられた扁平なノズル１７Ｎとを有して成る、水蒸気供給手段１７が取り付けられている。
【００７０】
なお、上述したアイスサインボード１００の構成は、大型のライティングボードを構築するためのフレーム１０２を始めとする各要素の形状や、表示パネル１０３をフレーム１０２に固定設置した点、照明ユニットを備えていない点、および表示パネル１０３に熱電モジュール１０４の吸熱面を密接させている点以外、第２の実施例におけるアイスサインボード１０と基本的に同一なので、アイスサインボード１０と同一の作用を為す構成要素には、図９〜図１２中の符号に１００を加算した１００番台の符号を附すことで詳細な説明を省略する。
【００７１】
また、上述したアイスサインボード１００に対する文字や絵等の記入方法に関しても、図９〜図１２に示した第２の実施例におけるアイスサインボード１０と変わるところはない。
【００７２】
すなわち、操作ダイヤル１０５Ｄが「OFF」を指している状態から、操作ダイヤル１０５Ｄを「STEAM」に合わせると、表示パネル１０３の表面温度が冷却される一方、水蒸気生成手段１０６の動作により水蒸気が生成され、この水蒸気を水蒸気供給手段１０７により表示パネル１０３の表面に吹き掛けることで、表示パネル１０３の表面に結露・結霜による記入層１０３Ｗを形成する。
【００７３】
上記記入層１０３Ｗを形成したのち、操作ダイヤル１０５Ｄを「WRITE」に合わせると、熱電モジュール１０４が表示パネル１０３の表面温度を一定に保持させる態様で動作することで上記記入層１０３Ｗが維持される。
【００７４】
上記記入層１０３Ｗに文字・絵等を記入したのち、操作ダイヤル１０５Ｄを「HOLD」に合わせると、上記表示パネル１０３の表面温度が氷結温度にまで低下し、記入層１３Ｗおよび文字・絵等が凍結して固定保存される。
【００７５】
操作ダイヤル１０５Ｄを「ERASE」に合わせると、表示パネル１０３を加熱する態様で熱電モジュール１０４が動作し、上記表示パネル１０３の表面温度が上昇することで、凍結していた記入層１０３Ｗおよび文字・絵等が溶解して消去される。
【００７６】
上述した構成のアイスサインボード１００によれば、特化されたマーカーペン等の専用の筆記用具を用いることなく、表示パネル１０３に文字や絵等を記入することができ、また専用の字消しや洗浄剤を必要とすることなく、表示パネル１０３から文字や絵等を消去することが可能となる。すなわち、使用に際して繁雑な準備を必要とすることなく、文字や絵等の記入および消去を実施することができる。
【００７７】
また、上述した構成のアイスサインボード１００によれば、冷却水から水蒸気を生成する水蒸気生成手段１０６と、生成した水蒸気を表示パネル１０３に案内する水蒸気供給手段１０７とを備えていることで、雰囲気(外気の湿度等)に左右されることなく、表示パネル１０３の表面に記入層１０３Ｗを確実に形成することができる。
【００７８】
さらに、上述した構成のアイスサインボード１００によれば、表示パネル１０３の背面に、伝熱板を介在させることなく直接に熱電モジュール１０４の吸熱面を密接させていることにより、前後方向の厚み寸法が可及的に少ないものとなり、もって外観形状コンパクト化(スリム化)を達成することができる。
【００７９】
なお、本発明に関わるアイスサインボードの外観は、各実施例において開示した形状に限定されるものではなく、設置場所や使用目的に合わせて、任意にデザイン設計し得ることは言うまでもない。
【００８０】
また、上述した各実施例においては、本発明に関わるアイスサインボードを、メニューボードや大型のライティングボードとして構成した例を示したが、様々なライトアップやイルミネーションを施すことによって、各種ディスプレーとしても本発明を有効に適用し得ることは勿論である。
【図面の簡単な説明】
【００８１】
【図１】本発明に関わるアイスサインボードの使用形態を示す外観斜視図。
【図２】(ａ)、(ｂ)および(ｃ)は、本発明に関わるアイスサインボードの第１実施例を示す平面図、正面図および側面図。
【図３】図２中のIII−III線断面図。
【図４】図２中のIV−IV線断面図。
【図５】図２に示したアイスサインボードの表示パネルを交換する際の分解斜視図。
【図６】(ａ)および(ｂ)は、図２に示したアイスサインボードの記入方法において、表示パネルを冷却する工程、および表示パネルに記入層を形成する工程を示す概念図。
【図７】(ａ)および(ｂ)は、図２に示したアイスサインボードの記入方法において、記入層に文字・絵等を記入する工程、および記入層を凍結させて文字・絵等を固定保存する工程を示す概念図。
【図８】図２に示したアイスサインボードの記入方法において、表示パネルを加熱して文字・絵等を消去する工程を示す概念図。
【図９】(ａ)、(ｂ)および(ｃ)は、本発明に関わるアイスサインボードの第２実施例を示す平面図、正面図および側面図。
【図１０】図９中のX−X線断面図。
【図１１】図９中のXI−XI線断面図。
【図１２】(ａ)および(ｂ)は、図９に示したアイスサインボードの記入方法において、表示パネルを冷却する工程、および表示パネルに記入層を形成する工程を示す概念図。
【図１３】大型のライティングボードを構成する本発明に関わるアイスサインボードの第３実施例を示す外観斜視図。
【図１４】(ａ)、(ｂ)および(ｃ)は、図１３に示したアイスサインボードの要部平面図、要部正面図および要部側面図。
【図１５】図１４中のXV−XV線断面図。
【符号の説明】
【００８２】
１…アイスサインボード、
２…ケーシング、
３…表示パネル、
３Ｂ…背景層、
３Ｗ…記入層、
４…熱電モジュール、
１０…アイスサインボード、
１２…ケーシング、
１３…表示パネル、
１３Ｂ…背景層、
１３Ｗ…記入層、
１４…熱電モジュール、
１４Ｊ…ウォータジャケット、
１６…蒸気発生手段、
１７…蒸気供給手段、
１００…アイスサインボード、
１０２…フレーム、
１０３…表示パネル、
１０３Ｂ…背景層、
１０３Ｗ…記入層、
１０４…熱電モジュール、
１０４Ｊ…ウォータジャケット、
１０６…蒸気発生手段、
１０７…蒸気供給手段。
【図１】
2009137019.tif 000003
【図２】
2009137019.tif 000004
【図３】
2009137019.tif 000005
【図４】
2009137019.tif 000006
【図５】
2009137019.tif 000007
【図６】
2009137019.tif 000008
【図７】
2009137019.tif 000009
【図８】
2009137019.tif 000010
【図９】
2009137019.tif 000011
【図１０】
2009137019.tif 000012
【図１１】
2009137019.tif 000013
【図１２】
2009137019.tif 000014
【図１３】
2009137019.tif 000015
【図１４】
2009137019.tif 000016
【図１５】
2009137019.tif 000017